(57)【要約】      （修正有）【課題】ゴミを収納した後、袋の上部を簡単且つ確実に閉塞可能な袋を提供する。【解決手段】袋本体１２と、袋本体の上部の第１の箇所１１から延長する閉じ紐部１４と、袋本体の上部の第１箇所と対向する第２の箇所２２に形成され、閉じ紐部を挿通可能な通し穴１６とを有する巾着袋１０であって、閉じ紐部は、長さ方向に亘ってミシン目１４ａが形成され、ミシン目に沿って２つに切り開き可能に形成されている。通し穴に挿通させた後、切り開いた２つの閉じ紐部を袋本体の上部に巻いて相互に結ぶことで袋本体の上部を巾着状に閉塞する。【選択図】図２
0003230621.tif 000002
【実用新案登録請求の範囲】
【請求項１】
袋本体と、該袋本体の上部の第１の箇所から延長する閉じ紐部と、前記袋本体の上部の前記第１箇所とは対向する第２の箇所に形成され、前記閉じ紐部を挿通可能な通し穴とを有する巾着袋であって、前記閉じ紐部は、長さ方向に亘ってミシン目が形成されており該ミシン目に沿って２つに切り開き可能に形成されていることを特徴とする巾着袋。
【請求項２】
請求項１に記載の巾着袋において、前記袋本体は、底部が少なくとも楕円形状を保持可能に形成されていることを特徴とする巾着袋。
【考案の詳細な説明】
【技術分野】
【０００１】
本考案は、巾着袋に関し、特に、容易に巾着になるためゴミ袋等として用いるのに好適な巾着袋に関する。
【背景技術】
【０００２】
従来、ポリエチレン製等のゴミ袋が多く用いられており、レジ袋の形状又は筒状に形成され、底部は閉塞され、上部が開口しているものが一般的である。かかるゴミ袋にゴミを収納した後、封鎖する場合には、袋の上部両端を結び合わせて封鎖するが、ゴミの量が多い時には特に、袋の上部両端の長さが足りなくなり、結ぶことが困難になるという問題がある。そのため、口を開けた上部両側を更にテープ等を貼り付けたりして、何とか閉塞性を保つようにすることも多い。このような問題に鑑みて、例えば、特許文献１記載の結びやすい形状のゴミ袋も提案されている。このゴミ袋では、ゴミ袋上部をＵ字型に成形して、両端側又は中央に帯部を設け、これら帯部を相互に結ぶことによりゴミ袋の開口部を閉じ易くしている。  
【０００３】
一方、スーパーマーケット等で提供され、購入した商品を収納するレジ袋は、そのまま持ち帰れるよう手や腕を通せる取っ手を形成したものが一般的であり、これを家庭内でのゴミ袋として用いることも多い。しかしながら、ゴミ収集車により各家庭から回収されるゴミ袋は、自治体ごとに指定されてものであり、このようなレジ袋に収納したゴミをそのまま回収してもらうことはできない。また、このようなレジ袋を家庭内で使用する場合にも、薄手の素材により形成され、袋の両側が相互に張りついた状態で提供されるため、開口状態を維持したまま家庭内でゴミ箱代わりに使用するのが困難である。
【先行技術文献】
【特許文献】
【０００４】
【特許文献１】特開２０１５−４４６９０号公報
【考案の概要】
【考案が解決しようとする課題】
【０００５】
しかしながら、特許文献１記載のゴミ袋等のように、ゴミ袋上部をＵ字型に成形して、両端側又は中央に帯部を設け、これら帯部を相互に結ぶことによりゴミ袋の開口部を閉じ易くするものは、一般にも多数使用されているが、自治体指定のゴミ袋は有料のため、どうしてもゴミをギリギリまで多量に詰め込んで回収してもらおうとする傾向があり、帯部の長さが足りなくなり結ぶことが困難になり、又は結び付けが不十分なため後で解けてしまうことも多い。また、ゴミ袋の上部をＵ字型に成形して帯部を設けるという構成のため、帯部の長さを長くしようとすれば、その分、袋の本体部の容量が小さくなるという構造上の欠陥がある。  
【０００６】
このような状況下、上記問題は解決されず、ゴミ収集場でのゴミの散乱、水濡れ、悪臭、更に最近ではカラスがゴミを突いて散乱させてしまう被害も多発している。従って、ゴミの収集に関わる作業員の作業に支障となる一方、街の美化・環境に対する深刻な問題にもなっている。このため、ゴミを収納した後、袋の上部を簡単且つ確実に閉塞可能なゴミ袋の更なる開発や提案が望まれている。  
【０００７】
本考案は、以上のような事情から為されたものであり、その目的は、ゴミを収納した後、袋の上部を簡単且つ確実に閉塞可能な袋を提供することにある。また、開口状態を維持したまま家庭内でゴミ箱代わりに使用するのに好適な袋を提供することにある。
【課題を解決するための手段】
【０００８】
本考案者は、上記目的を達成するため種々検討を重ねた結果、袋本体と、該袋本体の上部の第１の箇所から延長する閉じ紐部と、前記袋本体の上部の前記第１箇所とは対向する第２の箇所に形成され、前記閉じ紐部を挿通可能な通し穴とを有する巾着袋であって、前記閉じ紐部は、長さ方向に亘ってミシン目が形成されており該ミシン目に沿って２つに切り開き可能に形成されていれば、前記通し穴に挿通させた後、切り開いた２つの閉じ紐部を前記袋本体の上部に巻いて相互に結ぶことで前記袋本体の上部を巾着状に閉塞可能なことを見出した。  
【０００９】
即ち、本考案に係る巾着袋は、袋本体と、該袋本体の上部の第１の箇所から延長する閉じ紐部と、前記袋本体の上部の前記第１箇所とは対向する第２の箇所に形成され、前記閉じ紐部を挿通可能な通し穴とを有する巾着袋であって、前記閉じ紐部は、長さ方向に亘ってミシン目が形成されており該ミシン目に沿って２つに切り開き可能に形成されていることを特徴とする。  
【００１０】
また、前記袋本体は、底部が少なくとも楕円形状を保持可能に形成されていることを特徴とする。
【考案の効果】
【００１１】
本考案によれば、ゴミを収納した後、袋の上部を簡単且つ確実に閉塞可能な巾着袋を提供することができる。また、開口状態を維持したまま家庭内でゴミ箱代わりに使用するのに好適な巾着袋を提供することができる。
【図面の簡単な説明】
【００１２】
【図１】本考案の実施形態に係る巾着袋を示す斜視図である。
【図２】図１に示す巾着袋において、閉じ紐部を通し穴に挿通させた状態を示す斜視図である。
【図３】図１に示す巾着袋において、通し穴に挿通させた閉じ紐部をミシン目に沿って２つに切り開いた状態を示す斜視図である。
【図４】図１に示す巾着袋において、ミシン目に沿って２つに切り開いた閉じ紐部を袋本体上部の両側から相互に巻いた状態を示す斜視図である。
【図５】図１に示す巾着袋において、袋本体上部を両側から相互に巻いた２つの閉じ紐部の先端側を相互に結び合わせ、巾着状に閉塞させた状態を示す斜視図である。
【図６】本考案の他の実施形態に係る巾着袋を示す斜視図である。
【図７】図６に示す巾着袋において、閉じ紐部を袋本体から切り離した状態を示す斜視図である。
【考案を実施するための形態】
【００１３】
以下、上述した本考案を適用した具体的な実施形態について、図面を参照しながら詳細に説明する。但し、以下の実施形態の記載は例示であり、これにより本考案の範囲が限定されるものではない。図１は、本考案の実施形態に係る巾着袋を示す斜視図、図２は、その巾着袋において、閉じ紐部を通し穴に挿通させた状態を示す斜視図、図３は、更に、通し穴に挿通させた閉じ紐部をミシン目に沿って２つに切り開いた状態を示す斜視図、図４は、更に、ミシン目に沿って２つに切り開いた閉じ紐部を袋本体上部の両側から相互に巻いた状態を示す斜視図、図５は、更に、袋本体上部を両側から相互に巻いた２つの閉じ紐部の先端側を相互に結び合わせ、巾着状に閉塞させた状態を示す斜視図である。図１に示すように、本考案の実施形態に係る巾着袋１０は、袋本体１２と、袋本体１２の上部の第１の箇所１１から延長する閉じ紐部１４と、袋本体１２の上部の第１箇所１１とは対向する第２の箇所２２に形成され、閉じ紐部１４を挿通可能な通し穴１６とを有する。また、閉じ紐部１４は、その幅方向の略中央に、（紐の）長さ方向に亘ってミシン目１４ａが形成されており、通し穴１６に挿通させた後、ミシン目１４ａに沿って２つに切り開き可能に形成されている。  
【００１４】
本実施形態では、巾着袋１０の材質は、一般的なゴミ袋と同様に、全体としてポリエチレン製から成るが、本考案の巾着袋の材質としては、これに限られず、塩化ビニル、紙、布、皮等、他の材質も考えられる。但し、ポリエチレン製、塩化ビニル製等の撥水性の材質であれば、水分を含むゴミ等を収納し易いので、有益である。また、例えば、袋本体１２と閉じ紐部１４の材質を異ならせることも可能であるが、全体を同一の素材から一体成形することにより、製造コストを低減することができる。
【００１５】
以上のように構成される本実施形態の巾着袋１０は、図１に示した状態で袋本体１２内にゴミ等を収容することができる。また、ゴミ等を収容した巾着袋１０を閉じる（閉塞する）には、まず、図２に示すように、巾着袋１０の閉じ紐部１４を、袋本体１２の上部（の第２の箇所２２）に形成された通し穴１６に挿通させる。次に、図３に示すように、通し穴１６に挿通させた閉じ紐部１４を、ミシン目１４ａに沿って２つに切り開くようにする。続いて、図４に示すように、ミシン目１４ａに沿って２つに切り開いた閉じ紐部１４を袋本体１２の上部の両側から相互に巻き付ける。更に、図５に示すように、袋本体１２の上部を両側から相互に巻いた２つの閉じ紐部１４の先端側を相互に結び合わせ、巾着状に閉塞させる。  
【００１６】
このように、本実施形態の巾着袋１０では、図２乃至図５に示した操作により容易に巾着になるため、ゴミ袋等として用いるのに好適である。また、本実施形態の巾着袋１０も、従来例と同様にポリエチレン製のゴミ袋であるが、ゴミを収納した後、封鎖する場合には、従来例のように袋の上部両端を結び合わせて封鎖する必要は無く、袋本体１２の上部から伸長する閉じ紐部１４を通し穴１６に挿通させ、袋本体１２の上部周囲に券回させてから結び合わせるだけで巾着状に閉塞できるので、ゴミの量が多い時でも、閉じ紐部１４の長さが足りなくなり、結ぶことが困難になることは無い。そのため、袋本体１２の上部両側を更にテープ等を貼り付けたりして、何とか閉塞性を保つような労苦を生じることも無い。
【００１７】
また、以上のように、本実施形態の巾着袋１０では、閉じ紐部１４の長さが足りなくなって結ぶことが困難になり、又は結び付けが不十分なため後で解けてしまうことも無い。また、閉じ紐部１４の長さを長くしようとしても、その分、袋本体１２の容量が小さくなるという構造上の欠陥も無い。以上のように、本実施形態の巾着袋１０では、ゴミを収納した後、袋本体１２の上部を簡単且つ確実に閉塞可能である。従って、例えば、本実施形態の巾着袋１０を自治体の指定ゴミ袋に採用すれば、ゴミ収集場でのゴミの散乱、水濡れ、悪臭、更にカラスがゴミを突いて散乱させてしまう被害も防止することができる。その結果、ゴミの収集に関わる作業員の作業も捗り、街の美化・環境の改善にも貢献可能である。  
【００１８】
上記実施形態の変形例として、上記袋本体は、底部が少なくとも楕円形状を保持可能に形成されているようにしても良い。このためには、所定の底面積を有するように、袋本体の他の部分とは区画された底部を形成しても良いし、例えば、底部の周縁にビニル製のパイプを回設するようにしても良い。尚、上記袋本体は、底部が少なくとも楕円形状を保持可能に形成されているので、調理場等において、処理後に残飯を捨てる残飯入れ等に用いれば、残飯を捨て易い上に、満杯になったら容易に巾着にできるので、便利である。従来のゴミ袋やレジ袋では、薄手の素材により形成され袋の両側が相互に張りついた状態で提供されるため、開口状態を維持したまま家庭内でゴミ箱代わりに使用するのが困難であったが、このような変形例の巾着袋では、開口状態を維持したまま家庭内でゴミ箱代わりに使用するのに好適な袋を提供することができる。  
【００１９】
次に、本考案の他の実施形態に係る巾着袋について述べる。図６は、本考案の他の実施形態に係る巾着袋を示す斜視図である。本考案の他の実施形態に係る巾着袋では、閉じ紐部が袋本体の上部から上側に延長するのではなく、袋本体の上端周縁にミシン目を介して一体的に形成されていることを特徴としている。即ち、図６に示すように、この本考案の他の実施形態に係る巾着袋１０’は、袋本体１２と、袋本体１２の上部の第１の箇所１１から袋本体１２の上端周縁に延長する閉じ紐部１４’と、袋本体１２の上部の第１箇所１１とは対向する第２の箇所２２に形成され、閉じ紐部１４’を挿通可能な通し穴１６とを有する。また、閉じ紐部１４’は、紐の長さ方向に亘ってミシン目が形成されており該ミシン目に沿って２つに切り開き可能に形成されている。詳細には、閉じ紐部１４’は、第１の箇所１１ではその幅方向の略中央に紐の長さ方向に亘ってミシン目１４’ａが形成されており、また、袋本体１２の上端周縁に沿って（紐の長さ方向に亘って）ミシン目１４’bが形成されている。尚、通し穴１６の上部における左右両側から回り込んで形成される閉じ紐部１４’の先端同士の境目は、図６に示すように切れ目１４’cとしても良いし、ミシン目（図示せず）としても良い。
【００２０】
図７は、図６に示した閉じ紐部を袋本体から切り離した状態を示す斜視図である。即ち、本考案の他の実施形態に係る巾着袋１０’では、図６に示した状態で利
用者に提供され、この状態でゴミ袋等として使用されることで袋本体１２内にゴミ等を収容することができる。また、ゴミ等を収容した巾着袋１０’を閉じる（閉塞する）には、まず、図７に示すように、閉じ紐部１４’をミシン目１４’ａ及びミシン目１４’bに沿って袋本体１２から切り離す。そして、図示はしないが、２本に分かれた閉じ紐部１４’を袋本体１２の上部に形成された通し穴１６に袋本体１２の内側から挿通させ外側に引き出した後、前述した図３乃至図５と略同様に、引き出した左右２本の閉じ紐部１４’を袋本体１２の上部の両側から相互に巻き付け、更に、相互に巻いた２つの閉じ紐部１４’の先端側を相互に結び合わせ、巾着状に閉塞させる。このように、本考案の他の実施形態に係る巾着袋１０’でも、上述した巾着袋１０と同様に、ゴミを収納した後、袋の上部を簡単且つ確実に閉塞可能である。一方、本考案の他の実施形態に係る巾着袋１０’では、閉じ紐部１４’が袋本体１２の上部から上側に延長するのではなく、袋本体１２の上端周縁にミシン目１４’ａ及びミシン目１４’bを介して一体的に形成されているので、ポリエチレンや布等の一枚の生地から複数の巾着袋を切り出して成形する場合に、生地の無駄が少なくなるので、製作コストを低減することができる。尚、変形例として、上記袋本体の底部が少なくとも楕円形状を保持可能に形成するようにしても良く、このような変形例では、開口状態を維持したまま家庭内でゴミ箱代わりに使用するのに好適な袋を提供できるのは、巾着袋１０と同様である。  
【００２１】
以上のように、本考案によれば、ゴミを収納した後、袋の上部を簡単且つ確実に閉塞可能な巾着袋を提供することができる。また、開口状態を維持したまま家庭内でゴミ箱代わりに使用するのに好適な巾着袋を提供することができる。
【００２２】
上述した実施形態では、本考案の巾着袋をゴミ袋に適用したが、本考案の巾着袋は、ゴミ袋に限定されず、買物袋、小物入れ、シューズ袋等にも実用的である。また、本考案の巾着袋を買物袋、例えば、スーパーやコンビニ等の店に持参するマイバッグとして用いる場合には、買い物カゴを持って買い物を続ける間は、例えば、巾着袋１０で説明すれば、図５に示したように巾着状に閉塞させた状態を維持しておき、レジを通過後、購入した商品をマイバッグに詰める段階で初めて、図１に示したように袋本体１２の上部を開口させた状態にした上で商品を詰め、その後、図２乃至図５に示したように袋本体１２の上部を巾着状に閉塞させてから店を出るようにすることもできる。このようにすれば、店内で買い物を続ける間は閉じた巾着状態が維持され万引きし難い態様なので、店側に怪しまれず、いわば自分は万引き等の意思の無い真っ当な買い物客である旨の意思表示にもなる。
【００２３】
尚、本考案の巾着袋は、巾着であることから、例えば、布製の小物入れとして用いると共に外側全体（外観）に和風デザインを付することで趣向が増し、外国人はもとより観光客全般等の興味を引くこともできる。従って、例えば、観光地において、その地の名産品を収納すると共に外観に和風デザインを付した布製等の小物入れとして用いる場合には、観光業や小売業等の産業上の利用可能性がある。
【符号の説明】
【００２４】
１０、１０’  巾着袋、  １１  第１の箇所、  １２  袋本体、  １４、１４’  閉じ紐部、    １４ａ、１４’a、１４’b  ミシン目、  １４’c 切れ目、  １６  通し穴、  ２２  第２の箇所
【図１】
0003230621.tif 000003
【図２】
0003230621.tif 000004
【図３】
0003230621.tif 000005
【図４】
0003230621.tif 000006
【図５】
0003230621.tif 000007
【図６】
0003230621.tif 000008
【図７】
0003230621.tif 000009